(57)【要約】【課題】印刷ジョブを複数の印刷装置による分散処理によって効率的に実行すると共に、短納期の印刷ジョブにも対応可能な印刷システム、印刷制御装置、及び印刷制御方法を提供する。【解決手段】印刷装置区分部２２は、複数の印刷装置６１〜６５を分散処理を実行させる第１印刷装置と、分散処理を実行させない第２印刷装置とに区分する。通常納期印刷対応部２３は、印刷ジョブ受付部２１により第１処理条件が設定された第１印刷ジョブが受付けられたときに、第１印刷装置に第１印刷ジョブの分散処理を実行させる。短納期印刷対応部２４は、印刷ジョブ受付部２１により第１処理条件よりも納期が短い第２処理条件が設定された第２印刷ジョブが受付けられたときに、第２印刷装置に第２印刷ジョブを実行させる。【選択図】図１
2020052873.tif 000002
【特許請求の範囲】
【請求項１】
複数の印刷装置と、前記印刷装置に印刷ジョブの分散処理を実行させる印刷制御装置とを備えた印刷システムであって、
前記印刷制御装置は、
印刷ジョブを受付ける印刷ジョブ受付部と、
前記複数の印刷装置を、前記分散処理を実行させる複数の第１印刷装置と、前記分散処理を実行させない第２印刷装置とに区分する印刷装置区分部と、
前記印刷ジョブ受付部により第１処理条件が設定された第１印刷ジョブが受付けられたときに、前記第１印刷装置に前記第１印刷ジョブの分散処理を実行させる通常納期印刷対応部と、
前記印刷ジョブ受付部により前記第１処理条件よりも納期が短い第２処理条件が設定された第２印刷ジョブが受付けられたときに、前記第２印刷装置に前記第２印刷ジョブを実行させる短納期印刷対応部と
を備える印刷システム。
【請求項２】
前記印刷装置区分部は、前記複数の印刷装置について、残寿命と、前回のクリーニング実行時からの経過時間と、前回の印刷実行時からの経過時間とのうちの少なくともいずれか一つに基づいて、前記複数の印刷装置を前記第１印刷装置と前記第２印刷装置とに区分する請求項１に記載の印刷システム。
【請求項３】
前記印刷装置区分部は、前記複数の印刷装置について、残寿命と、前回のクリーニング実行時からの経過時間と、前回の印刷実行時からの経過時間とに基づいて、前回のクリーニング実行時からの経過時間の重み付けを前回の印刷実行時からの経過時間よりも大きく設定し、且つ、前回の印刷実行時からの経過時間の重み付けを残寿命よりも大きく設定した区分条件により、前記複数の印刷装置を前記第１印刷装置と前記第２印刷装置とに区分する請求項２に記載の印刷システム。
【請求項４】
複数の印刷装置に印刷ジョブの分散処理を実行させる印刷制御装置であって、
印刷ジョブを受付ける印刷ジョブ受付部と、
前記複数の印刷装置を、前記分散処理を実行させる複数の第１印刷装置と、前記分散処理を実行させない第２印刷装置とに区分する印刷装置区分部と、
前記印刷ジョブ受付部により第１処理条件が設定された第１印刷ジョブが受付けられたときに、前記第１印刷装置に前記第１印刷ジョブの分散処理を実行させる通常納期印刷対応部と、
前記印刷ジョブ受付部により前記第１処理条件よりも納期が短い第２処理条件が設定された第２印刷ジョブが受付けられたときに、前記第２印刷装置に前記第２印刷ジョブを実行させる短納期印刷対応部と
を備える印刷制御装置。
【請求項５】
複数の印刷装置に印刷ジョブの分散処理を実行させる印刷制御方法であって、
印刷ジョブを受付ける印刷ジョブ受付ステップと、
前記複数の印刷装置を、前記分散処理を実行させる複数の第１印刷装置と、前記分散処理を実行させない第２印刷装置とに区分する印刷装置区分ステップと、
前記印刷ジョブ受付ステップにより第１処理条件が設定された第１印刷ジョブが受付けられたときに、前記第１印刷装置に前記第１印刷ジョブの分散処理を実行させる通常納期印刷対応ステップと、
前記印刷ジョブ受付ステップにより前記第１処理条件よりも納期が短い第２処理条件が設定された第２印刷ジョブが受付けられたときに、前記第２印刷装置に前記第２印刷ジョブを実行させる短納期印刷対応ステップと
を含む印刷制御方法。
【発明の詳細な説明】
【技術分野】
【０００１】
本発明は、印刷システム、印刷制御装置、及び印刷制御方法に関する。
【背景技術】
【０００２】
従来、一つの印刷ジョブを複数の印刷装置で分散処理する印刷システムが提案されている（例えば、特許文献１参照）。特許文献１に記載された印刷システムでは、各印刷装置で実行される印刷ジョブの優先順位を連動して変化させることによって、ジョブ完了のタイミングを略一致させている。
【先行技術文献】
【特許文献】
【０００３】
【特許文献１】特開２００４−２３４３３９号公報
【発明の概要】
【発明が解決しようとする課題】
【０００４】
本発明は、印刷ジョブを複数の印刷装置による分散処理によって効率的に実行すると共に、短納期の印刷ジョブにも対応可能な印刷システム、印刷制御装置、及び印刷制御方法を提供することを目的とする。
【課題を解決するための手段】
【０００５】
上記目的を達成する好ましい一態様として、複数の印刷装置と、前記印刷装置に印刷ジョブの分散処理を実行させる印刷制御装置とを備えた印刷システムであって、前記印刷制御装置は、印刷ジョブを受付ける印刷ジョブ受付部と、前記複数の印刷装置を、前記分散処理を実行させる複数の第１印刷装置と、前記分散処理を実行させない第２印刷装置とに区分する印刷装置区分部と、前記印刷ジョブ受付部により第１処理条件が設定された第１印刷ジョブが受付けられたときに、前記第１印刷装置に前記第１印刷ジョブの分散処理を実行させる通常納期印刷対応部と、前記印刷ジョブ受付部により前記第１処理条件よりも納期が短い第２処理条件が設定された第２印刷ジョブが受付けられたときに、前記第２印刷装置に前記第２印刷ジョブを実行させる短納期印刷対応部とを備える印刷システムが挙げられる。
【０００６】
上記印刷システムにおいて、前記印刷装置区分部は、前記複数の印刷装置について、残寿命と、前回のクリーニング実行時からの経過時間と、前回の印刷実行時からの経過時間とのうちの少なくともいずれか一つに基づいて、前記複数の印刷装置を前記第１印刷装置と前記第２印刷装置とに区分する構成としてもよい。
【０００７】
上記印刷システムにおいて、前記印刷装置区分部は、前記複数の印刷装置について、残寿命と、前回のクリーニング実行時からの経過時間と、前回の印刷実行時からの経過時間とに基づいて、前回のクリーニング実行時からの経過時間の重み付けを前回の印刷実行時からの経過時間よりも大きく設定し、且つ、前回の印刷実行時からの経過時間の重み付けを残寿命よりも大きく設定した区分条件により、前記複数の印刷装置を前記第１印刷装置と前記第２印刷装置とに区分する構成としてもよい。
【０００８】
上記目的を達成する好ましい一態様として、複数の印刷装置に印刷ジョブの分散処理を実行させる印刷制御装置であって、印刷ジョブを受付ける印刷ジョブ受付部と、前記複数の印刷装置を、前記分散処理を実行させる複数の第１印刷装置と、前記分散処理を実行させない第２印刷装置とに区分する印刷装置区分部と、前記印刷ジョブ受付部により第１処理条件が設定された第１印刷ジョブが受付けられたときに、前記第１印刷装置に前記第１印刷ジョブの分散処理を実行させる通常納期印刷対応部と、前記印刷ジョブ受付部により前記第１処理条件よりも納期が短い第２処理条件が設定された第２印刷ジョブが受付けられたときに、前記第２印刷装置に前記第２印刷ジョブを実行させる短納期印刷対応部とを備える印刷制御装置が挙げられる。
【０００９】
上記目的を達成する好ましい一態様として、複数の印刷装置に印刷ジョブの分散処理を実行させる印刷制御方法であって、印刷ジョブを受付ける印刷ジョブ受付ステップと、前記複数の印刷装置を、前記分散処理を実行させる複数の第１印刷装置と、前記分散処理を実行させない第２印刷装置とに区分する印刷装置区分ステップと、前記印刷ジョブ受付ステップにより第１処理条件が設定された第１印刷ジョブが受付けられたときに、前記第１印刷装置に前記第１印刷ジョブの分散処理を実行させる通常納期印刷対応ステップと、前記印刷ジョブ受付ステップにより前記第１処理条件よりも納期が短い第２処理条件が設定された第２印刷ジョブが受付けられたときに、前記第２印刷装置に前記第２印刷ジョブを実行させる短納期印刷対応ステップとを含む印刷制御方法が挙げられる。
【図面の簡単な説明】
【００１０】
【図１】印刷システムの構成図。
【図２】印刷装置管理データの説明図。
【図３】印刷制御装置の作動フローチャート。
【発明を実施するための形態】
【００１１】
［１．印刷システムの構成］
図１は、本発明を適用した実施形態における印刷システム１の構成図である。印刷システム１は、複数の印刷装置６１〜６５と印刷制御装置１０とを備えて構成されている。以下では、印刷システム１がユーザーＰに対して画像印刷のサービスを提供する実施形態について説明する。
【００１２】
印刷制御装置１０と印刷装置６１〜６５とは、通信ライン５を介して相互に通信を行う。また、印刷制御装置１０は、ユーザーＰが所持しているユーザー通信端末９０との間で無線通信を行って、画像データを受信する。ユーザー通信端末９０は、スマートフォン、携帯電話、タブレット端末、ノートパソコン等の通信機能を有する端末である。
【００１３】
印刷システム１は、画像印刷サービスを提供する写真プリント店等に設置されている。印刷制御装置１０は、ユーザーＰから画像印刷を依頼する印刷ジョブを受付けたときに、６台の印刷装置６１〜６５に印刷ジョブを分配して画像を写真用紙に印刷させる。印刷制御装置１０は、ＣＰＵ２０、メモリー３０、受付端末４０、及び通信部５０を備えている。
【００１４】
受付端末４０は、表示部４１と入力部４２を備えており、表示部４１に画像印刷の受付け画面、印刷する画像の選択画面等を表示し、ユーザーＰによる入力部４２の操作に応じて印刷ジョブを受け付ける。通信部５０は、印刷装置６１〜６５、及びユーザー通信端末９０との間で通信を行う。
【００１５】
メモリー３０には、印刷制御装置１０の制御用プログラム３１、ユーザーＰにより提供された画像データ３２、及び印刷装置６１〜６５から受信した稼働データに基く稼働状況等を記録した印刷装置管理データ３３が保存されている。図２は印刷管理データの説明図である。図２に示したように、印刷装置管理データ３３には、符号３３ａで示した各印刷装置６１〜６５のＩＤ毎に、符号３３ｂで示した残寿命、符号３３ｃで示した前回のクリーニング実行時からの経過時間が記録されている。さらに、印刷装置管理データ３３には、符号３３ｄで示した前回の印刷実行時からの経過時間、符号３３ｅで示した使用優先ポイント、及び第１印刷装置と第２印刷装置の区分が記録されている。
【００１６】
ここで、印刷装置６１〜６５の残寿命は、印刷装置６１〜６５の総作動時間、印刷装置６１〜６５の構成部品の耐用期間等に基づいて推定される。また、印刷装置６１〜６５はインクジェット形式であるため、クリーニングを実施した時点から長期間が経過するとノズル詰まりが生じ易くなる。さらに、印刷を実行せずに停止した状態が長くなった場合にも、ノズル詰まりが生じ易くなる。そのため、印刷制御装置１０は、印刷装置６１〜６５における、前回のクリーニング実行時からの経過時間、及び前回の印刷実行時からの経過時間を管理している。
【００１７】
使用優先ポイントは、画像の印刷ジョブを実行させる優先度を示す指標値であり、印刷装置６１〜６５に対して、例えば、以下の式（１）によって算出される。
ＵＰＴ＝Ｋ１×ＲＬ＋Ｋ２×ＣＬＴ＋Ｋ３×ＰＲＴ ・・・・・（１）
但し、ＵＰＴ：使用優先ポイント、ＲＬ：残寿命、ＣＬＴ：前回のクリーニング実行時からの経過時間、ＰＲＴ：前回の印刷実行時からの経過時間、Ｋ１，Ｋ２，Ｋ３：重み付け係数。
本実施形態では、ＣＬＴに対する重み付けがＰＲＴよりも大きくなり、且つ、ＰＲＴに対する重み付けがＲＬよりも大きくなるように、Ｋ１，Ｋ２，Ｋ３が設定されている。この設定は、本発明の区分条件に相当する。
【００１８】
ＣＰＵ２０は、メモリー３０に保存された制御用プログラム３１を読み込んで実行することにより、印刷ジョブ受付部２１、印刷装置区分部２２、通常納期印刷対応部２３、及び短納期印刷対応部２４として機能する。ＣＰＵ２０は、１又は複数のプロセッサーで構成されてもよい。
【００１９】
なお、印刷ジョブ受付部２１により実行される処理は、本発明の印刷制御方法における印刷ジョブ受付ステップに相当し、印刷装置区分部２２により実行される処理は印刷装置区分ステップに相当する。また、通常納期印刷対応部２３により実行される処理は通常納期印刷対応ステップに相当し、短納期印刷対応部２４により実行される処理は短納期印刷対応ステップに相当する。
【００２０】
印刷ジョブ受付部２１は、受付端末４０の表示部４１に画像印刷の受付け画面等を表示させ、ユーザーＰによる入力部４２の操作に応じて、画像の印刷ジョブを受け付ける。印刷装置区分部２２は、５台の印刷装置６１〜６５から送信される稼働データＷｋｄ１〜Ｗｋｄ５を定期的に、或いは印刷終了時等の所定タイミングにより受信する。
【００２１】
稼働データＷｋｄ１には、印刷装置６１の残寿命ＲＬ６１、前回のクリーニング実行時からの経過時間ＣＬＴ６１、前回の印刷実行時からの経過時間ＰＲＴ６１等のデータが含まれている。そして、印刷装置区分部２２は、図２に示したように、稼働データＷｋｄ１に含まれるこれらのデータを印刷装置管理データ３３に記録すると共に、上記式（１）により印刷装置６１の使用優先ポイントＵＰＴ６１を算出して印刷装置管理データ３３に記録する。
【００２２】
同様にして、印刷装置区分部２２は、印刷装置６２〜６５についても、稼働データＷｋｄ２〜Ｗｋｄ５に含まれる残寿命ＲＬ６２〜ＲＬ６５、及び前回のクリーニング実行時からの経過時間ＣＬＴ６２〜ＣＬＴ６５を、印刷装置管理データ３３に記録する。さらに、印刷装置区分部２２は、前回の印刷実行時からの経過時間ＰＲＴ６２〜ＰＲＴ６５を、印刷装置管理データ３３に記録する。
【００２３】
そして、印刷装置区分部２２は、印刷装置６２〜６５の使用優先ポイントＵＰＴ６２〜ＵＰＴ６５を、上記式（１）により算出して印刷装置管理データ３３に記録する。印刷装置区分部２２は、このようにして算出した印刷装置６１〜６５の使用優先ポイントＵＰＴ６１〜ＵＰＴ６５に基づいて、５台の印刷装置６１〜６５を、第１印刷装置と第２印刷装置とに区分する。
【００２４】
ここで、第１印刷装置は、一つの印刷ジョブを複数の印刷装置により分散して実行する分散処理に供される印刷装置である。また、第２印刷装置は、分散処理に供されずに、単独で印刷ジョブを処理する印刷装置である。本実施形態においては、第１印刷処理と第２印刷処理の区分は固定されず、印刷装置区分部２２により、印刷装置６１〜６５の使用優先ポイントＵＰＴ６１〜ＵＰＴ６５に基づいて適宜変更される。
【００２５】
印刷装置区分部２２は、５台の印刷装置６１〜６５のうち、使用優先ポイントが最も低い印刷装置を第２印刷装置に選定し、他の４台の印刷装置を第１印刷装置に選定することによって、５台の印刷装置を１台の第２印刷装置と４台の第１印刷装置とに区分する。図２に示した例では、印刷装置６１〜６４が第１印刷装置、印刷装置６５が第２印刷装置に区分されている。以下では、印刷装置６１〜６４が第１印刷装置に区分され、印刷装置６５が第２印刷装置に区分された場合について説明し、印刷装置６１〜６４を第１印刷装置６１〜６４とも記し、印刷装置６５を第２印刷装置６５とも記す。
【００２６】
通常納期印刷対応部２３は、印刷ジョブ受付部２１により、納期が所定期間以上である第１印刷ジョブが受付けられたときに、第１印刷ジョブを分割したサブ印刷ジョブの実行データＳｊｏｂ１〜Ｓｊｏｂ４を第１印刷装置６１〜６４に送信する。これにより、第１印刷装置６１〜６４によって分散処理による画像印刷が実行される。なお、分散処理は第１印刷装置６１〜６４のうちの少なくとも２台で実行されればよく、常に４台全部で実行される必要はない。一方、第２印刷装置６５は、印刷ジョブを実行せずに停止し、印刷ジョブを直ちに実行可能な待機状態となっている。また、納期が所定時間以上であるとの条件は、本発明の第１処理条件に相当する。
【００２７】
短納期印刷対応部２４は、印刷ジョブ受付部２１により、納期が前記所定期間よりも短い第２印刷ジョブが受付けられたときに、待機状態となっている第２印刷装置６５に、第２印刷ジョブの実行データＪｏｂ５を送信する。これにより、第２印刷装置６５により第２印刷ジョブが直ちに実行されるため、短納期の画像印刷に対応することができる。なお、納期が所定期間よりも短いとの条件は、本発明の第２処理条件に相当する。
【００２８】
このように、印刷装置区分部２２により、５台の印刷装置６１〜６５が４台の第１印刷装置６１〜６４と１台の第２印刷装置６５とに区分され、通常納期印刷対応部２３及び短納期印刷対応部２４により、納期に応じて、印刷を行う印刷装置が割り振られる。これにより、第１印刷装置６１〜６４によって多量の画像印刷を効率良く処理しつつ、第２印刷装置６５により短納期の画像印刷に対応する運用を実現することができる。
【００２９】
［２．印刷システムによる画像印刷サービスの処理］
図３は、印刷制御装置１０の作動フローチャートである。以下、図３に示したフローチャートに従って、印刷システム１により実行される画像印刷サービスの一連の処理について説明する。以下では、図１及び図２に示した状況で、ユーザーＰの依頼に応じて、印刷システム１が画像印刷のサービスを提供する場合について説明する。
【００３０】
図３のステップＳ１及びＳ２のループ処理において、印刷ジョブ受付部２１は、ステップＳ１でユーザーＰによる受付端末４０の操作に応じて画像印刷の印刷ジョブを受付けたときにステップＳ２に処理を進める。また、印刷装置区分部２２は、ステップＳ１０で印刷装置６１〜６５の区分タイミングとなったときに、ステップＳ１１に処理を進める。
【００３１】
印刷装置区分部２２は、ステップＳ１１で、上述したように、印刷装置６１〜６５から稼働データＷｋｄ１〜Ｗｋｄ５を受信して印刷装置管理データ３３を更新する。また、上記式（１）により、印刷装置６１〜６５の使用優先ポイントＵＰＴ６１〜ＵＰＴ６５を算出して、印刷装置管理データ３３を更新する。そして、印刷装置区分部２２は、使用優先ポイントが最も低い印刷装置を第２印刷装置に区分し、他の４台の印刷装置を第１印刷装置に区分する。ここでは、図２に示したように、印刷装置６１〜６４が第１印刷装置に区分され、印刷装置６５が第２印刷装置に区分されている。
【００３２】
ステップＳ１０における印刷装置６１〜６５の区分タイミングとしては、印刷システム１が設置された店舗が開店して、印刷システム１の起動操作がなされた時、或いは店舗が閉店する際に印刷システム１の停止操作がなされた時が設定される。或いは、正午等の所定時刻になった時、２時間ごと等の一定期間が経過した時、印刷ジョブが受付けられた時等を、印刷装置６１〜６５の区分タイミングに設定してもよい。
【００３３】
ステップＳ２で、印刷ジョブ受付部２１は、ユーザー通信端末９０から送信される画像データＰｄａｔを、通信部５０を介して受信する。なお、ユーザー通信端末９０と印刷制御装置１０との間の通信は、無線通信でも有線通信でもよい。また、画像データが保存されたメモリーカード等の記録媒体を受付端末に接続して、記録媒体から画像データを読み込んでもよい。
【００３４】
続くステップＳ３で、印刷ジョブ受付部２１は、受け付けた印刷ジョブが、指定された画像印刷の納期が所定期間以上である第１印刷ジョブであるか否かを判断する。所定期間は、例えば受付時から数時間に設定される。そして、印刷ジョブ受付部２１は、受け付けた印刷ジョブが第１印刷ジョブであるときはステップＳ４に処理を進め、受け付けた印刷ジョブが第１印刷ジョブではなく、納期が所定期間よりも短い第２印刷ジョブであるときにはステップＳ２０に処理を進める。
【００３５】
ステップＳ４で、通常納期印刷対応部２３は、第１印刷ジョブを分割したサブ印刷ジョブの実行データＳｊｏｂ１〜Ｓｊｏｂ４を４台の第１印刷装置６１〜６４にそれぞれ送信して、分散処理により第１印刷ジョブを実行させて、ステップＳ５に処理を進める。これにより、多量の画像印刷のジョブを効率良く処理することができる。
【００３６】
また、ステップＳ２０で、短納期印刷対応部２４は、第２印刷ジョブの実行データＪｏｂ５を第２印刷装置６５に送信して、第２印刷装置６５による単独処理により第２印刷ジョブを実行させて、ステップＳ５に処理を進める。これにより、短納期の第２印刷ジョブを速やかに完了することができる。
【００３７】
［３．他の実施形態］
上記実施形態では、印刷装置区分部２２は、印刷装置６１〜６５を、残寿命、前回のクリーニング実行時からの経過時間、及び前回の印刷実行時からの経過時間という３つのパラメーターに基づいて、第１印刷装置と第２印刷装置とに区分した。他の構成として、印刷装置６１〜６５の残寿命、前回のクリーニング実行時間からの経過時間、及び前回の印刷実行時からの経過時間とのうちの少なくともいずれか１つのパラメーターに基づいて、第１印刷装置と第２印刷装置とに区分してもよい。或いは、これら３つ以外のパラメーターに基づいて、印刷装置６１〜６５を第１印刷装置と第２印刷装置とに区分してもよい。
【００３８】
上記実施形態では、上記式（１）により、印刷装置６１〜６５の残寿命ＲＬ、前記のクリーニング実行時からの経過時間ＣＬＴ、及び前回の印刷実行時間からの経過時間ＰＲＴという３つのパラメーターについて、重み付けを行って使用優先ポイントを算出した。上記式（１）では、ＣＬＴに対する重み付けがＰＲＴよりも大きくなり、且つ、ＰＲＴに対する重み付けがＲＬよりも大きくなる条件によって、重み付け係数Ｋ１，Ｋ２，Ｋ３を設定したが、他の条件により重み付けを設定してもよい。
【００３９】
上記実施形態では、印刷装置区分部２２により、所定の区分タイミングで複数の印刷装置６１〜６５を第１印刷装置と第２印刷装置とに区分する処理を再度実行したが、第１印刷装置と第２印刷装置との区分を固定する構成としてもよい。
【００４０】
図１に示した機能ブロックのうち少なくとも一部は、ハードウェアで実現してもよいし、ハードウェアとソフトウェアの協働により実現される構成としてもよく、図に示した通りに独立したハードウェア資源を配置する構成に限定されない。ＣＰＵ２０が実行するプログラムは、メモリー３０に限らず、印刷制御装置１０とは別体として構成される記憶装置に記憶されてもよい。また、ＣＰＵ２０が、外部の装置に記憶されたプログラムを取得して実行する構成としてもよい。
その他、印刷制御装置１０を構成する機器の他の各部の具体的な細部構成についても、本発明の趣旨を逸脱しない範囲で任意に変更可能である。
【符号の説明】
【００４１】
１…印刷システム、５…通信ライン、１０…印刷制御装置、２０…ＣＰＵ、２１…印刷ジョブ受付部、２２…印刷装置区分部、２３…通常納期印刷対応部、２４…短納期印刷対応部、３０…メモリー、３１…制御用プログラム、３２…画像データ、３３…印刷装置管理データ、４０…受付端末、４１…表示部、４２…入力部、５０…通信部、６１〜６４…印刷装置（第１印刷装置）、６５…印刷装置（第２印刷装置）、９０…ユーザー通信端末、Ｐ…ユーザー。
【図１】
2020052873.tif 000003
【図２】
2020052873.tif 000004
【図３】
2020052873.tif 000005